(57)【要約】      （修正有）【課題】フォアフット走法やミッドフット走法を容易に実現できるスポーツシューズのソールを提供する。【解決手段】ソール２の足裏当接側の面３Ａの最後端の位置Ｓｅを原点とし、足裏当接側の面に沿って測ったつま先先端の位置Ｓｔまでの道程をＬ、原点から０．１６×Ｌの位置Ｓｈのソール厚みをｈ、（０．３〜０．５）×Ｌの位置Ｓｍ２のソール厚みをｍ２、（０．４〜０．６）×Ｌの位置Ｓｍ１のソール厚みをｍ１、０．７×Ｌの位置Ｓｆのソール厚みをｆとするとき、ｍ２≧ｍ１、ｍ１≧ｆ、ｍ１≧ｈである。位置Ｓｍ１と位置Ｓｈを結ぶ線が水平面Ｈｐとなす角度をθ１、位置Ｓｍ１から引いた鉛直線が接地面５Ｂと交わる位置をＳｍ１’、位置Ｓｈから引いた鉛直線がソール接地面５Ｂと交わる位置をＳｈ’として、位置Ｓｍ１’と位置Ｓｈ’を結ぶ線が水平面となす角度をθ２とするとき、θ２≧θ１である。接地面は前足部において下に凸の湾曲形状を有している。【選択図】図９
2020163084.tif 000002
【特許請求の範囲】
【請求項１】
スポーツシューズのソールであって、
踵部からつま先部まで延設され、足裏当接側の面を上面に有し、接地面を下面に有するとともに、
前記足裏当接側の面の最後端の位置を原点とし、前記足裏当接側の面に沿って測ったつま先先端の位置までの道程をＬとし、前記足裏当接側の面における踵底面を水平面と平行に配置した状態で、原点から０．１６×Ｌの位置Ｓｈのソール厚みをｈ、（０．３〜０．５）×Ｌの位置Ｓｍ２のソール厚みをｍ２、（０．４〜０．６）×Ｌの位置Ｓｍ１（ただしＳｍ１はＳｍ２よりも前方に配置）のソール厚みをｍ１、０．７×Ｌの位置Ｓｆのソール厚みをｆとするとき、
ｍ２≧ｍ１  かつ  ｍ１≧ｆ  かつ  ｍ１≧ｈ
の関係式が成立するとともに、
位置Ｓｍ１と位置Ｓｈを結ぶ線が水平面となす角度をθ１とし、位置Ｓｍ１から引いた鉛直線が前記接地面と交わる位置をＳｍ１’、位置Ｓｈから引いた鉛直線が前記接地面と交わる位置をＳｈ’として、位置Ｓｍ１’と位置Ｓｈ’を結ぶ線が水平面となす角度をθ２とするとき、
θ２≧θ１
の関係式が成立しており、
前記接地面が前足部において下に凸の湾曲形状を有している、
ことを特徴とするスポーツシューズのソール。
【請求項２】
請求項１において、
前記つま先先端の位置のソール厚みｔが
ｔ≦ｆ／２
になっている、
ことを特徴とするスポーツシューズのソール。
【請求項３】
請求項１において、
前後方向に延びるプレートを内部に有しており、前記プレートの前端が前足部においてソール厚み中心線より接地面側に配置され、前記プレートの後端が踵部においてソール厚み中心線より足裏当接側の面の側に配置され、前記プレートの中央部分が中足部においてソール厚み中心線を斜めに横切っている、
ことを特徴とするスポーツシューズのソール。
【請求項４】
請求項１において、
前記プレートが、位置Ｓｍ２から位置Ｓｆにかけての領域の少なくとも一部の領域において、上下方向の隆起部を有している、
ことを特徴とするスポーツシューズのソール。
【発明の詳細な説明】
【技術分野】
【０００１】
本発明は、スポーツシューズのソールに関し、詳細には、着地時に前足部または中足部での接地を促進でき、フォアフット走法やミッドフット走法を容易に実現できるようにするための構造の改良に関する。
【背景技術】
【０００２】
近年、長距離を速く走る上で、足の前足部から着地するフォアフット走法や、中足部から着地するミッドフット走法が主流になってきている。フォアフット走法およびミッドフット走法は、足裏の広い面積で着地することから、衝撃吸収性に優れ、身体への負担が軽減されるとともに、体幹が安定するといった利点があるが、これらの走法には一定レベル以上のスキルが要求されるため、初級ランナーにとってこれらの走法の習得は容易ではない。
【０００３】
その一方、特開２０１８−７８９６８号公報には、靴底の踵部および前足部の厚みをそれぞれ一定にしかつ前足部の厚みを踵部の厚みよりも厚くするとともに、中足部の厚みを徐々に厚くしたものが示されている。同公報には、走行時に重心移動距離が長くなって大きな推進力が得られ、走行速度がアップすると記載されている（同公報の段落［００１３］〜［００１６］、図２参照）。また、特開２００１−１８６９０４号公報には、靴底の拇子球対応個所に膨らみ部分を設けるとともに、当該膨らみ部分からつま先部分にかけて靴底をなだらかな連続曲線で形成し、土踏まず部分から当該膨らみ部分に凹みを生じさせないように靴底を形成したものが示されている（同公報の段落［００１６］、図１ないし図４参照）。同公報には、拇子球やつま先部分に対する着地時の衝撃を緩和して、筋肉に対する負担を解消できると記載されている。さらに、特開２００２−３３６００５号公報には、踵がない靴において靴底の厚みを中足部領域で厚くするとともに前足部の靴底を平坦状に形成したものが示されている（同公報の図２参照）。
【発明の概要】
【発明が解決しようとする課題】
【０００４】
上記特開２０１８−７８９６８号公報および特開２００１−１８６９０４号公報に記載のものでは、前足部での着地後に踵側への重心移動を規制する手段がなく、そのため、前足部接地を安定して行えるようにするためにはランナーのスキルが要求される。また、上記特開２００２−３３６００５号公報に記載のものでは、前足部の靴底がつま先部に向かって前方に転がっていくように形成されていないため、同様に、前足部接地を安定して行うのが困難である。
【０００５】
本発明は、このような従来の実情に鑑みてなされたもので、本発明が解決しようとする課題は、着地時に前足部または中足部での接地を促進でき、フォアフット走法やミッドフット走法を容易に実現できるスポーツシューズのソールを提供することにある。
【課題を解決するための手段】
【０００６】
本発明に係るスポーツシューズのソールは、踵部からつま先部まで延設され、足裏当接側の面を上面に有しかつ接地面を下面に有するとともに、足裏当接側の面の最後端の位置を原点とし、足裏当接側の面に沿って測ったつま先先端までの道程をＬとし、足裏当接側の面における踵底面を水平面と平行に配置した状態で、原点から０．１６×Ｌの位置Ｓｈのソール厚みをｈ、（０．３〜０．５）×Ｌの位置Ｓｍ２のソール厚みをｍ２、（０．４〜０．６）×Ｌの位置Ｓｍ１（ただしＳｍ１はＳｍ２よりも前方に配置）のソール厚みをｍ１、０．７×Ｌの位置Ｓｆのソール厚みをｆとするとき、ｍ２≧ｍ１  かつ  ｍ１≧ｆ  かつ  ｍ１≧ｈの関係式が成立するとともに、位置Ｓｍ１と位置Ｓｈを結ぶ線が水平面となす角度をθ１とし、位置Ｓｍ１から引いた鉛直線がソール接地面と交わる位置をＳｍ１’、位置Ｓｈから引いた鉛直線がソール接地面と交わる位置をＳｈ’として、位置Ｓｍ１’と位置Ｓｈ’を結ぶ線が水平面となす角度をθ２とするとき、θ２≧θ１の関係式が成立しており、ソール接地面が前足部において下に凸の湾曲形状を有している。
【０００７】
本発明によれば、原点から０．１６×Ｌの位置（つまり踵中心）Ｓｈのソール厚みｈが、原点から（０．４〜０．６）×Ｌの位置Ｓｍ１のソール厚みｍ１よりも小さくなっており、しかも、位置Ｓｍ１’と位置Ｓｈ’を結ぶ線が水平面となす角度θ２が、位置Ｓｍ１と位置Ｓｈを結ぶ線が水平面となす角度θ１よりも大きくなっており、これにより、着地時に踵が接地せず、ヒールストライクを生じさせないので、着地時に前足部または中足部での接地を促進できる。また、位置Ｓｍ２のソール厚みｍ２が位置Ｓｍ１のソール厚みｍ１よりも大きくなっており、これにより、ソール接地面上の位置Ｓｍ１’で初期接地したとき、ソールが後方に傾こうとして踵が下方に落ち込むのを規制でき、その結果、初期接地後に速やかにソールの前方への転がりに移行することができる。さらに、原点から０．７×Ｌの位置（つまり拇趾球部中心）Ｓｆのソール厚みｆが、位置Ｓｍ１のソール厚みｍ１よりも小さくなっており、しかも、ソール接地面が前足部において下に凸の湾曲形状を有しており、これにより、ソールの前方への転がりがスムーズに行われる。このようにして、フォアフット走法やミッドフット走法を容易に実現できるようになる。
【０００８】
本発明では、つま先先端のソール厚みｔがｔ≦ｆ／２になっている。これにより、つま先先端に向かってソール前方への転がりをよりスムーズに行えるようになる。
【０００９】
本発明では、前後方向に延びるプレートを内部に有しており、プレートの前端が前足部においてソール厚み中心線より接地面側に配置され、プレートの後端が踵部においてソール厚み中心線より足裏当接側の面の側に配置され、プレートの中央部分が中足部においてソール厚み中心線を斜めに横切っている。
【００１０】
本発明によれば、初期接地後にプレートの前端側に荷重が移動したとき、ソールが後方に傾いて踵が落ち込もうとするのをプレートによって確実に規制でき、その結果、より速やかにソールの前方への転がりに移行することができる。
【００１１】
本発明では、プレートが、位置Ｓｍ２から位置Ｓｆにかけての領域の少なくとも一部の領域において、上下方向の隆起部を有している。この場合には、隆起部によってプレートの曲げ剛性を向上でき、その結果、初期接地後の踵の落ち込みをより確実に規制できるようになる。
【発明の効果】
【００１２】
以上のように、本発明に係るスポーツシューズのソールによれば、着地時に前足部または中足部での接地を促進でき、フォアフット走法やミッドフット走法を容易に実現できるようになる。
【図面の簡単な説明】
【００１３】
【図１】本発明の一実施例によるソールを採用したスポーツシューズの外甲側側面概略図である。
【図２】前記シューズ（図１）の底面概略図である。
【図３】図２のIII-III線断面図であって、前記シューズ（図１）の前後方向中心線に沿った縦断面に相当している。
【図４】図２のIV-IV線横断面図である。
【図５】図２のV-V線横断面図である。
【図６】図２のVI-VI線横断面図である。
【図７】図２のVII-VII線横断面図である。
【図８】前記シューズ（図１）の分解組立図である。
【図９】前記シューズ（図１）におけるソールの詳細を説明するための図であって、図３の拡大図に相当しており、ラストを併せて示している。
【図１０】前記シューズ（図１）の走行時の状態を説明するための図であって、路面に対するシューズの動きを（ａ）〜（ｄ）の順に時系列的に示している。
【発明を実施するための形態】
【００１４】
以下、本発明の実施例を添付図面に基づいて説明する。
図１ないし図１０は、本発明の一実施例によるスポーツシューズのソールを説明するための図である。ここでは、シューズとして中長距離用のランニングシューズを例にとる。なお、以下の説明中、上方（上側/上）および下方（下側/下）とは、シューズの上下方向の位置関係を表し、前方（前側/前）および後方（後側/後）とは、シューズの前後方向の位置関係を表しており、幅方向とはシューズの左右方向を指すものとする。すなわち、上方および下方は、図１を例にとった場合、同図の上方および下方をそれぞれ指しており、前方および後方は、同図の左方および右方をそれぞれ指しており、幅方向は、同図の紙面奥行方向を指している。
【００１５】
図１に示すように、シューズ１は、ソール２と、その上側に設けられるアッパー１０とを有している。ソール２は、上側に配置される上部ミッドソール３と、下側に配置される下部ミッドソール４と、下部ミッドソール４の下面に装着され、路面と接地する接地面５Ｂを底面側に有するアウトソール５とを有し、これら上下部ミッドソール３、４およびアウトソール５が一体になってソール２を構成している。アッパー１０は、シューズ１の上側の開口部に舌革部１１を有している。
【００１６】
上部ミッドソール３は、図１および図３に示すように、ソール２の踵部からつま先部まで前後方向に延設されている。下部ミッドソール４は、ソール２の主に後足部領域（つまり踵部および中足部を含む領域）に配設されており、前足部のつま先部には設けられていない（図２のIV-IV線横断面図である図４参照）。
【００１７】
上下部ミッドソール３、４間には、図３および図８に示すように、プレート６が設けられている。プレート８は、薄肉のシート状部材であって、ソール２の踵部からつま先部まで前後方向に延設されている。プレート６の厚みは、たとえば１〜２ｍｍ程度である。プレート６は、ソール２の踵部および中足部においては、上部ミッドソール３の下面３Ｂと下部ミッドソール４の上面４Ａとの間で挟持されており（図５ないし図８参照）、ソール２の前足部においては、上部ミッドソール３の下面３Ｂとアウトソール５の上面５Ａとの間で挟持されている（図４参照）。プレート６は、図５および図６に示すように、ソール２の中足部において、上方に山状に隆起する隆起部６０を有している。隆起部６０の左右両側は谷状に凹んでおり、隆起部６０ととともに波形状を形成している。この波形状は、稜線および谷線がソール２の中足部において前後方向に延びている。プレート６は、図４および図７に示すように、ソール２の前足部および踵部においては、概ね平坦状に形成されている。
【００１８】
上下部ミッドソール３、４はいずれも軟質弾性部材から構成されており、具体的には、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体から構成されている。プレート６は、比較的弾性に富む素材である熱可塑性ポリウレタン（ＴＰＵ）やポリアミドエラストマー（ＰＡＥ）、ＡＢＳ樹脂等の熱可塑性樹脂あるいはエポキシ樹脂等や不飽和ポリエステル樹脂等の熱硬化性樹脂から構成されている。また、プレート６の素材としては、たとえば炭素繊維、アラミド繊維、ガラス繊維等を強化用繊維とし、熱硬化性樹脂や熱可塑性樹脂をマトリックス樹脂とした繊維強化プラスチック（ＦＲＰ）を用いるようにしてもよい。アウトソール５は硬質弾性部材から構成されており、具体的には、熱可塑性ポリウレタン（ＴＰＵ）やポリアミドエラストマー（ＰＡＥ）等の熱可塑性樹脂、エポキシ樹脂等の熱硬化性樹脂、またはラバーから構成されている。
【００１９】
次に、ソール２の各部の寸法の詳細について図９を用いて説明する。
図９は図３に対応しており、ソール２の前後方向中心線に沿った縦断面図であるが、ここでは、図示の便宜上、ハッチングを省略している。また、図９には、アッパー１０の内部にラスト（靴型）１００が挿入された状態が示されている。ラスト１００の底面は、ソール２の上面を構成する、上部ミッドソール３の足裏当接側の面３Ａと接触している。
【００２０】
図９に示すように、上部ミッドソール３の足裏当接側の面３Ａの最後端の位置Ｓｅを原点とし、足裏当接側の面３Ａに沿って測ったつま先先端の位置Ｓｔまでの道程（これはラスト底面に沿った道程に相当）をＬとし、踵部における足裏当接側の面（つまり踵底面に対応する面）３Ａを水平面Ｈｐと平行に配置した状態で、原点から０．１６×Ｌの位置（つまり踵中心の位置）Ｓｈのソール厚みをｈ、０．３〜０．５×Ｌの位置Ｓｍ２のソール厚みをｍ２、０．４〜０．６×Ｌの位置Ｓｍ１（ただしＳｍ１はＳｍ２よりも前方に配置）のソール厚みをｍ１、０．７×Ｌの位置（つまり拇趾球部中心）Ｓｆのソール厚みをｆとするとき、
ｍ２≧ｍ１  かつ  ｍ１≧ｆ  かつ  ｍ１≧ｈ
の関係式が成立している。
【００２１】
ここで、本実施例では、ソール２が上下部ミッドソール３、４およびアウトソール５により構成されているので、各部位におけるソール厚みとは、これら上下部ミッドソール３、４およびアウトソール５を含んだソール総厚を指している。
【００２２】
位置Ｓｍ１は、走行中のシューズ着地時の初期接地位置に対応している。上記不等式におけるｍ２≧ｍ１は、初期接地位置よりも後方側のソール厚みを初期接地位置のソール厚みに対して少なくとも同じかそれよりも厚くするということを意味している。これは、初期接地後にソール２の踵部の下方への落ち込みを防止するためにある。位置Ｓｍ２でのソール厚みｍ２は、位置Ｓｍ１で初期接地した後、位置Ｓｍ２で荷重を支えるといった「支え台」効果を発揮する。これにより、初期接地後にソール２が踵方向に倒れようとして後方側への重心移動が生じようとしたときに、このような重心移動を規制して、後方側への重心移動の時間をできるだけ短くすることができ、その結果、初期接地後に速やかに前方への荷重移動を行えるようになる。
【００２３】
上記不等式におけるｍ１≧ｆは、初期接地後に前方への重心移動に移行しやすくして、前方への転がりを促すためにあり、ｍ１≧ｈは、ソール着地時にソール２の踵部が接地するのを回避して踵部を路面から浮かせるようにし、前足部での接地を促すためにある。
【００２４】
また、図９に示すように、位置Ｓｍ１と位置Ｓｈを結ぶ線が水平面Ｈｐとなす角度をθ１とし、位置Ｓｍ１から引いた鉛直線が接地面５Ｂと交わる位置をＳｍ１’、位置Ｓｈから引いた鉛直線が接地面５Ｂと交わる位置をＳｈ’として、位置Ｓｍ１’と位置Ｓｈ’を結ぶ線が水平面Ｈｐとなす角度をθ２とするとき、
θ２≧θ１
の関係式が成立している。
これも同様に、ソール着地時にソール２の踵部が接地するのを回避して踵部を路面から浮かせるようにし、前足部での接地を促すためにある。
【００２５】
ソール２の前足部において、接地面５Ｂは、下に凸の湾曲形状（たとえば緩やかなラウンド形状）を有している。これは、初期接地後に前方への転がりを促すためである。また、つま先先端の位置Ｓｔにおけるソール厚みｔは、好ましくは、
ｔ≦ｆ／２になっている。
これは、初期接地後につま先先端に向かって前方への転がりを促すためにある。
【００２６】
なお、本実施例において、ソール厚みｍ１、ｍ２、ｈ、ｆの具体的な値としては、好ましくは、以下のような値を採用している。すなわち、
ｍ１≧１５［ｍｍ]
ｍ２≧１６［ｍｍ]
ｈ≧１０［ｍｍ]
ｆ≧１０［ｍｍ]
【００２７】
プレート６は、図９に示すように、プレート前端側部分は、前足部においてソール厚み中心線Ｓｃより接地面５Ｂ側に配置され、プレート後端側部分は、後足部領域においてソール厚み中心線Ｓｃより足裏当接側の面３Ａの側に配置されており、プレート中央部分は、中足部においてソール厚み中心線Ｓｃを斜めに横切っている。なお、厚み中心線Ｓｃとは、同図中に示すように、ソール２の総厚の中心を前後方向に結んでできる線のことを指している。また、プレート６の隆起部６０は、位置Ｓｍ２から位置Ｓｆにかけての領域（つまり原点から０．３０〜０．７Ｌの領域）の少なくとも一部の領域に設けられている。
【００２８】
次に、本実施例の作用効果について、図９を参照しつつ、図１０を用いて説明する。
図１０（ａ）は、ソール２の接地直前の局面を示しており、図中の矢印Ｆはソール２の移動方向を示している。このとき、同図に示すように、ソール２の踵部は路面Ｒから浮いており、ソール２は厚みｍ１の部位から路面Ｒと接地しようとしている。これは、上述したように、ソール２において、ｍ１≧ｈ、θ２≧θ１（図９参照）となっているために、ソール２の踵部が薄くなっており、そのため、シューズ１の着地時には、ソール２の踵部からは接地せずに、中足部から接地しようとするからである。
【００２９】
図１０（ｂ）は、ソール２の厚みｍ１の部位で初期接地する局面を示している。このとき、上述したように、ソール２において、ｍ２≧ｍ１となっており、初期接地位置よりも後方側のソール厚みｍ２が初期接地位置のソール厚みｍ１に対して少なくとも同じかそれよりも厚くなっている。これにより、初期接地直後にソール２の踵部が下方に落ち込もうとする動きが厚みｍ１の部位よりも厚みがある厚みｍ２の部位で支えられるので、このような後方側への動きを規制できる。その結果、初期接地後にソール２が踵方向に倒れようとして後方側への重心移動が生じようとしたときに、このような後方側への重心移動の時間をできるだけ短くすることができ、初期接地後に速やかに前方への体重移動を行えるようになる。
【００３０】
図１０（ｃ）は、ソール２の前足部が接地する局面を示している。このとき、上述したように、ｍ１≧ｆとなっているので、初期接地後は前方への体重移動に移行しやすくなっており、これにより、前方への転がりが促進される。しかも、この場合には、接地面５Ｂが下に凸の湾曲形状を有していることで、初期接地後に前方に転がりやすくなっている。また、この場合には、体重が前足部に移動したときに、プレート６の前端側部分が下方に押え付けられることで、プレート６の中央部および踵部で着用者の体重をしっかりと支えることができ、ソール２の中足部および踵部での落ち込みを防止でき、これにより、前足部側への体重移動がスムーズに行われる。さらに、この場合には、プレート６の中央部に隆起部６０が形成されているので、中央部の曲げ剛性が高くなっており、これにより、ソール２の中足部および踵部での落ち込みを一層確実に防止でき、これにより、前足部側への体重移動が一層スムーズに行われる。
【００３１】
図１０（ｄ）は、つま先での蹴り出しの局面を示している。このとき、つま先先端の位置Ｓｔでのソール厚みｔがｔ≦ｆ／２になっているので、つま先先端に向かって前方への転がりが促進されている。また、この場合には、足の中足部および踵部がプレート６で支えられているので、つま先での蹴り出し時には、プレート６の弾性反発力の作用により、力強く路面Ｒを蹴って推進力を得ることができる。
【００３２】
＜変形例＞
前記実施例では、スポーツシューズ１のソールが、上部ミッドソール３、下部ミッドソール４、アウトソール５およびプレート６から構成された例を示したが、本発明は、プレート６がないソールにも適用でき、その場合、上部ミッドソール３および下部ミッドソール４は単一のミッドソールから構成されていてもよい。
【００３３】
＜その他の変形例＞
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【産業上の利用可能性】
【００３４】
以上のように、本発明は、着地時に前足部または中足部での接地を促進でき、フォアフット走法やミッドフット走法を実現できるようにするためのスポーツシューズのソールに有用である。
【符号の説明】
【００３５】
１：  スポーツシューズ
２：  ソール
３Ａ：  足裏当接側の面
５Ｂ：  接地面
６：  プレート
６０：  隆起部
Ｓｅ：  最後端の位置
Ｓｔ：  つま先先端の位置
ｈ：  位置Ｓｈのソール厚み
ｍ２：  位置Ｓｍ２のソール厚み
ｍ１：  位置Ｓｍ１のソール厚み
ｆ：  位置Ｓｆのソール厚み
Ｓｃ：  ソール厚み中心線
【先行技術文献】
【特許文献】
【００３６】
【特許文献１】特開２０１８−７８９６８号公報（段落［００１３］〜［００１６］、図２参照）
【特許文献２】特開２００１−１８６９０４号公報（段落［００１６］、図１ないし図４参照）
【特許文献３】特開２００２−３３６００５号公報（図２参照）
【図１】
2020163084.tif 000003
【図２】
2020163084.tif 000004
【図３】
2020163084.tif 000005
【図４】
2020163084.tif 000006
【図５】
2020163084.tif 000007
【図６】
2020163084.tif 000008
【図７】
2020163084.tif 000009
【図８】
2020163084.tif 000010
【図９】
2020163084.tif 000011
【図１０】
2020163084.tif 000012